(57)【特許請求の範囲】
【請求項１】
シャーシと、該シャーシをカバーするカバー部材と、上記シャーシに設けられディスク状記録媒体にデータを記録する記録手段と、動作モードに応じて前後方向に移動可能なヘッド昇降スライダと、上記カバー部材を開蓋させる開蓋位置と上記カバー部材を閉蓋させる閉蓋位置との間をスライドするロックスライダと、所定の方向にスライドするイジェクトスライダと、上記ヘッド昇降スライダに設けられ弾性材料からなるイジェクト伝達部材と、を備え、
上記イジェクト伝達部材は、上記ヘッド昇降スライダが前方方向に移動する際、上記イジェクト伝達部材が上記ロックスライダと上記イジェクトスライダとの間に介在する場合には上記イジェクトスライダのスライド移動を上記ロックスライダに伝達し、上記イジェクト伝達部材の伝達部が上記イジェクトスライダの後面と当接する場合には上記イジェクト伝達部材の弾性に抗する方向に該イジェクト伝達部材が移動される
ことを特徴とするディスク状記録媒体装置。
【請求項２】
上記イジェクトスライダのスライド移動の方向が上記ヘッド昇降スライダの移動方向に交差する方向である
ことを特徴とする請求項１に記載のディスク状記録媒体装置。
【請求項３】
上記イジェクト伝達部材が線バネ材料によって形成されている
ことを特徴とする請求項１に記載のディスク状記録媒体装置。
【発明の詳細な説明】
【０００１】
【発明の属する技術分野】
本発明は新規なディスク状記録媒体装置に関する。詳しくは、部品点数の削減と設置スペースの狭小化を図る技術に関する。
【０００２】
【従来の技術】
変位部材の機能部が一の方向へ移動して主機能を果たし、該機能部が上記一の方向とは別の方向である他の方向へ移動してリミッタ機能を果たすリミッタ機構がある。
【０００３】
例えば、光磁気ディスクや光ディスクの如き記録媒体を用いて、情報信号の記録及び／又は再生を行い、上記記録媒体をカートリッジに収納したディスクカートリッジをカートリッジホルダに保持した状態で光磁気ディスクや光ディスクをメカシャーシ上の所定の装着位置に装着したり、該装着位置から離脱させたりするように構成した記録再生装置がある。
【０００４】
かかる記録再生装置において、ディスクカートリッジを排出するためのイジェクト操作が為されると、カートリッジホルダに対する装着位置へのロックが解除されて、該カートリッジホルダが装着位置からイジェクト位置へと移動し、ディスクカートリッジのカートリッジホルダからの取出が可能な状態となるようになっている。しかしながら、上記記録媒体に対する情報信号の書き込み（記録）又は読み出し（再生）の実行中に、該記録媒体の取出、即ち、イジェクト動作が行われてしまうと、記録媒体に書き込まれたデータが失われたり、記録媒体等が損傷を被る惧がある。
【０００５】
そこで、操作者によるイジェクト操作によって動作する部材とカートリッジホルダに対する上記ロックを解除する機構との間にイジェクト伝達部材を介在させて、記録媒体に対する情報信号の書き込み又は読み出しの実行中は、上記イジェクト伝達部材をイジェクト操作によって動作する部材とロック解除機構との間から退避させておいて、操作者が誤ってイジェクト操作をしても、それがロック解除機構に伝達されないようにしたものがある。
【０００６】
しかしながら、このような誤ったイジェクト操作に対する安全機構を採用した場合、イジェクト操作中に記録又は再生の停止操作が為されて、上記イジェクト伝達部材が元の位置に戻ろうとしたときに、戻り予定位置にイジェクト操作によって動作する部材が先行していて、該部材とイジェクト伝達部材とが干渉してしまい、イジェクト伝達部材等が損傷される惧がある。
【０００７】
そこで、かかる２部材の干渉によるイジェクト伝達部材等の損傷を防止するためのリミッタ機構が必要となる。
【０００８】
上記したようなリミッタ機構を備えたイジェクト機構として、従来、例えば、図３９乃至図４１に示すようなものがある。
【０００９】
操作者のイジェクト操作によって図３９矢印Ｄ方向へ移動するイジェクトスライダａと図３９矢印Ｅ方向へ移動して図示しないカートリッジホルダに対するロックを解除するロックスライダｂとの間には、それぞれが初期位置、即ち、イジェクト操作が為されていない状態における位置にある状態において、所定の間隔ｃが設けられている。尚、イジェクトスライダａ及びロックスライダｂには、それぞれ矢印Ｄ方向と反対の方向及び矢印Ｅ方向と反対の方向への移動力が弾発的に付勢されている。
【００１０】
イジェクト伝達部材ｄが磁気ヘッド昇降スライダｅの先端部に支持されている。
【００１１】
磁気ヘッド昇降スライダｅは、記録時及び再生時に図３９矢印Ｆ方向へ移動するようにされており、記録時には、図示しない磁気ヘッドを図示しない連係機構を介して光磁気ディスクに接触又は近接させるようにするものである。
【００１２】
イジェクト伝達部材ｄは、ほぼ前後方向に長く形成されており、被支持部ｆの前端から伝達部ｇが突設されている。また、被支持部ｆの後端部にはバネ掛け片ｈが側方へ突設されている。
【００１３】
被支持部ｆには被支持孔ｉ及びｊが形成されている。そして、これら被支持孔ｉ、ｊに磁気ヘッド昇降スライダｅに植設された支持ピンｋ、ｋが挿通され、これによって、イジェクト伝達部材ｄが磁気ヘッド昇降スライダｅに支持されている。後側の被支持孔ｊは前後方向に長く形成され、その幅は支持ピンｋの外径とほぼ同じか僅かに大きく形成されている。前側の被支持孔ｉは、前後方向の長さは後側の被支持孔ｊのそれと同じに形成され、後半部の幅は後側被支持孔ｊの幅のほぼ２倍強に形成されている。
【００１４】
そして、磁気ヘッド昇降スライダｅの前端部に側方へ突出するように形成されたバネ掛け片ｌとイジェクト伝達部材ｄのバネ掛け片ｈとの間に引張コイルバネｍが張設され、これによって、イジェクト伝達部材ｄには前方へ向けての移動力、即ち、図３９矢印Ｇ方向への移動力及び図３９矢印Ｈ方向への回動力が付勢される。しかして、イジェクト伝達部材ｄは、それに外力が加えられていない状態では、後側被支持孔ｊの後端縁に支持ピンｋが当接され前側被支持孔ｉの右側縁に支持ピンｋが当接した状態とされ、この状態で、その伝達部ｇが上記イジェクトスライダａとロックスライダｂとの間の間隙ｃに位置される。この状態が初期状態である（図３９参照）。
【００１５】
上記初期状態から、イジェクト操作が為されて、イジェクトスライダａが図３９矢印Ｄ方向に移動すると、伝達部ｇが該イジェクトスライダａによって押圧されてイジェクト伝達部材ｄは支持ピンｋに被支持孔ｉの左側縁が当接するまで図３９矢印Ｈ方向と反対の方向へ回動され、その伝達部ｇがロックスライダｂを図３９矢印Ｅ方向へと押圧し、これによって、ロックスライダｂは図３９矢印Ｅ方向へと移動する。これによって、カートリッジホルダの装着位置へのロックが解除される（図４０参照）。
【００１６】
そして、記録又は再生時には、磁気ヘッド昇降スライダｅが図３９矢印Ｆ方向へ後退し、これによって、イジェクト伝達部材ｄの伝達部ｇは、イジェクトスライダａとロックスライダｂとの間の間隙ｃから後方へ退避する。従って、記録又は再生時に、操作者が誤ってイジェクト操作を行ってしまった場合でも、イジェクトスライダａの図３９矢印Ｄ方向への移動はいわゆる空振りをし、ロックスライダｂが図３９矢印Ｅ方向に移動することはない。
【００１７】
ところで、イジェクト操作中に記録又は再生の停止操作が為されて、上記イジェクト伝達部材ｄが元の位置に戻ろうとしたときに、戻り予定位置にイジェクト操作によって図３９矢印Ｄ方向に移動してきたイジェクトスライダａが先行していることがある。かかる場合には、イジェクト伝達部材ｄの伝達部ｇがイジェクトスライダａに衝突するが、引張コイルバネｍが伸張してイジェクト伝達部材ｄが磁気ヘッド昇降スライダｅに対して相対的に後退し、これによって、イジェクト伝達部材ｄやイジェクトスライダａ等の損傷が防止される（図４１参照）。
【００１８】
【発明が解決しようとする課題】
ところで、上記した従来のリミッタ機構にあっては、イジェクト伝達部材ｄの他に、２本の支持ピンｋ、ｋ及び引張コイルバネｍが必要であり、部品点数が多く、従って組立工数も多くなり、これらのことがコストの上昇を招くという問題があった。また、部品点数が多い分、その設置のために大きなスペースを必要とするという問題もある。
【００１９】
そこで、本発明は、ディスク状記録媒体装置において、部品点数の削減と設置スペースの狭小化を図ることを課題とする。
【００２０】
【課題を解決するための手段】
本発明ディスク状記録媒体装置は、上記した課題を解決するために、シャーシと、該シャーシをカバーするカバー部材と、上記シャーシに設けられディスク状記録媒体にデータを記録する記録手段と、動作モードに応じて前後方向に移動可能なヘッド昇降スライダと、上記カバー部材を開蓋させる開蓋位置と上記カバー部材を閉蓋させる閉蓋位置との間をスライドするロックスライダと、所定の方向にスライドするイジェクトスライダと、上記ヘッド昇降スライダに設けられ弾性材料からなるイジェクト伝達部材とを備え、上記イジェクト伝達部材は、上記ヘッド昇降スライダが前方方向に移動する際、上記イジェクト伝達部材が上記ロックスライダと上記イジェクトスライダとの間に介在する場合には上記イジェクトスライダのスライド移動を上記ロックスライダに伝達し、上記イジェクト伝達部材の伝達部が上記イジェクトスライダの後面と当接する場合には上記イジェクト伝達部材の弾性に抗する方向に該イジェクト伝達部材が移動されるものである。
【００２１】
従って、本発明ディスク状記録媒体装置にあっては、イジェクト伝達部材の他に構成部材を必要としない。
【００２２】
【発明の実施の形態】
以下に、本発明ディスク状記録媒体装置の実施の形態を添付図面を参照して説明する。
【００２３】
なお、図示した実施の形態は、本発明をディスク状記録媒体の記録再生装置ににおけるリミッタ機構に適用したものである。
【００２４】
記録再生装置１はディスク状記録媒体である光磁気ディスク又は光ディスクをカートリッジ内に回転可能に収納して成るディスクカートリッジ２を使用するものである。
【００２５】
上記光磁気ディスク３は、直径６４ｍｍ程度のポリカーボネイトの如き合成樹脂材料より成るディスク基板に、磁性材料から成る信号記録層が被着形成されて形成されている。この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、上記信号記録層にレーザビームの如き直線偏光光束を照射し、この光束の反射光束について上記信号記録層におけるいわゆるカー効果による偏光方向の回転を検出することにより、読み出すことが出来る。
【００２６】
また、上記光ディスクは、上記光磁気ディスク３のディスク基板と同様のディスク基板に、アルミニウムの如き金属材料より成る反射層が被着形成されて形成されている。この光ディスクのディスク基板には、射出成形等の手段により、情報信号に対応した微細なピット列が形成されている。この光ディスクに書き込まれている情報信号は、上記ピット列にレーザビームの如きコヒーレント光光束を照射し、この光束の反射光束について上記信号記録層における拡散や干渉による光量の変化を検出することにより、読み出すことが出来る。
【００２７】
上記光磁気ディスク３及び光ディスクは、図３７及び図３８に示すように、カートリッジ４内に回転可能に収納されて、ディスクカートリッジ２が形成される。上記光磁気ディスク３を収納して記録及び再生用ディスクカートリッジ２を形成する上記カートリッジ４は、一辺の長さが該光磁気ディスク３の直径にほぼ対応した矩形状の主面部を有する薄い筐体状に構成されている。このカートリッジ４は、図３７に示すように、上面側の主面部に、上記光磁気ディスク３の信号記録面の一部を外方に臨ませるための磁気ヘッド用開口部５を有している。また、このカートリッジ４は、図３８に示すように、下面側の主面部の上記磁気ヘッド用開口部５に対向する位置に光学ピックアップ用開口部６を有し、この下面側の主面部のほぼ中央部分にチャッキング用開口部７を有している。この記録及び再生用ディスクカートリッジ２は、上記記録再生装置１に対して、図３７中矢印Ａで示すように、前方方向に挿入されて装着される。
【００２８】
記録及び再生用ディスクカートリッジ２のカートリッジ４において、上記磁気ヘッド用開口部５及び光学ピックアップ用開口部６はシャッタ部材８によって開閉可能にされている。このシャッタ部材８は上記開口部５及び６に各々対応し互いに平行に対向したシャッタ板部８ａ、８ｂとこれらシャッタ板部８ａ、８ｂの一側縁間を連結する連結部８ｃとが、合成樹脂材料又は金属材料により一体に形成されて成る。このシャッタ部材８は、上記連結部８ｃがカートリッジ４の一側部に形成された支持溝部４ａに摺動自在に支持されている。すなわち、シャッタ部材８は、カートリッジ４の一側部に沿って後方へ摺動されることにより上記開口部５及び６を開放し、後方側より前方へ摺動されることにより初期位置に復帰して各シャッタ板部８ａ、８ｂにより各開口部５及び６を閉塞する。
【００２９】
そして、上記光ディスクは、上記カートリッジ４から磁気ヘッド用開口部５を除去した形状を為す図示しないカートリッジに回転自在に収納されて、再生専用カートリッジを形成する。
【００３０】
記録再生装置１の外筐１０は下ケース１１と、上ケース１２と上カバー１３とから成る。
【００３１】
下ケース１１は横長の浅い容器状をしており、後面壁の右端部が切り欠かれている。そして、その前面壁１１ａの前面が操作部とされている。該操作部には各種操作ノブが配置され、また、コネクタ接続部１４が設けられている。下ケース１１のその他の面には、入出力ジャック部、電源ジャック部等が配設されている。
【００３２】
上ケース１２は下ケース１１の右端部の上面開口を覆うように配設されるものであり、天板部と側壁部と前面壁を有し後端は開放されている。そして、上ケース１２の天板部には複数の操作釦１５、１５、・・・が配置されている。
【００３３】
上カバー１３は下ケース１１の上面開口のうち上ケース１２で覆われた右端部を除く部分を開閉するように配置される。また、該上カバー１３の上面には液晶表示部１６が配設されている。
【００３４】
上記下ケース１１、上ケース１２及び上カバー１３はメインフレーム２０に取着される。メインフレーム２０は金属板材料によって平面で見て矩形の枠状を成すように形成され、該メインフレーム２０にこれを下部側から覆うように下ケース１１が固定され、メインフレーム２０の右側面部に連続するように上記上ケース１２が固定される。
【００３５】
上記上カバー１３はその後端部がメインフレーム２０の後端部において前端部が上下方向に移動するように回動可能に支持される。
【００３６】
支持アーム２１の後端部がメインフレーム２０の後端部左側面に回動自在に支持されている。該支持アーム２１の左側面に上記上カバー１３がその左側壁の内面が接した状態でネジ止め等により固定される。また、上カバー１３の右側面後端部の外面に突設された図示しないピンが上記上ケース１２の後端部左側面に形成された図示しない支持穴に回動可能に嵌合される。このようにして、上カバー１３は下ケース１１の右端部を除く上面を開閉するように回動可能に配設される。
【００３７】
メカシャーシ３０が上記メインフレーム２０に図示しないダンパー部材を介してフローティング支持されている。
【００３８】
メカシャーシ３０の中心部にはスピンドルモータ４０が配設され、該スピンドルモータ４０のロータに一体的にターンテーブル４１が設けられている。メカシャーシ３０の下面部のうちスピンドルモータ４０が配置された部分から右側の部分に光学ピックアップ５０がスピンドルモータ４１に離接する方向に移動可能に配設されている。
【００３９】
光学ピックアップ５０は、ガイド部材を介してメカシャーシ３０に移動自在に支持されたキャリッジ５１上に図示しない光学ブロック部を有し、この光学ブロック部内に、光源となるレーザダイオード、フォトトランジスタの如き受光素子、上記レーザダイオードより発するレーザ光を導く光学デバイス、上記レーザ光を光磁気ディスク３や光ディスクの信号記録層に集光照射させる対物レンズ５２を有している。この光学ピックアップ５０は、上記レーザ光を対物レンズ５２を介して光磁気ディスク３又は光ディスクの信号記録層に集光して照射することが出来、また、光磁気ディスク３又は光ディスクの信号記録層で反射された反射光束を上記受光素子により検出し、その光量及び偏光方向の回転角を検出することが出来る。
【００４０】
そして、上記対物レンズ５２は、メカシャーシ３０のうちスピンドルモータ４０が配置された部分から右側の部分に形成された大きな開口部３１を介して上方に臨まされており、上記ターンテーブル４１上に保持された光磁気ディスク３又は光ディスクの信号記録面に対向し、そして、光学ピックアップ５０の移動に伴って光磁気ディスク３又は光ディスクの半径方向に移動される。
【００４１】
上記メカシャーシ３０の上面部には、カートリッジホルダ６０が配設されている。このカートリッジホルダ６０は、上記ディスクカートリッジ２が前方より挿入され、挿入されたディスクカートリッジ２を保持し得るように、天板部６１と、この天板部６１の両側縁より下方に垂設された左右側壁部６２、６３と、これら各側壁部６２、６３の下縁より内方に突出された支持片部６４、６５とを有している。このカートリッジホルダ６０は、金属板材料を屈曲形成して、上記各部が一体的に形成されている。このカートリッジホルダ６０に、上記ディスクカートリッジ２は、前方側より、上記天板部６１の下側の上記各壁部６２、６３間に挿入され、上記各支持片部６４、６５により下側の主面部の両側部分を支持されて、保持される。このとき、上記ディスクカートリッジ２は、下側の主面部のほぼ全面を下方側に臨ませており、上記チャッキング用開口部７、上記光学ピックアップ用開口部６をカートリッジホルダ６０の下方側に臨ませている。
【００４２】
このカートリッジホルダ６０の右側壁部６３のほぼ中間部分には、内方に向けて、シャッタ開放片６６が突設されている。このシャッタ開放片６６は、カートリッジホルダ６０にディスクカートリッジ２が挿入されたとき、上記シャッタ部材８の連結部８ｃの前端に当接し、ディスクカートリッジ２がカートリッジホルダ６０内に収納されたとき、該シャッタ部材８を開蓋状態にする。また、上記右側壁部６３の前端寄りの部分には、内方に向けて膨出するようにして、シャッタ閉蓋バネ６７が配設されている。このシャッタ閉蓋バネ６７は、カートリッジホルダ６０にディスクカートリッジ２が挿入されたとき、上記シャッタ部材８の連結部８ｃに形成されたシャッタ閉蓋孔８ｄに係合し、該ディスクカートリッジ２がカートリッジホルダ６０より抜き出されるとき、シャッタ部材８を閉蓋状態にする。
【００４３】
上記カートリッジホルダ６０はその後端部の両側部をメカシャーシ３０の後端部の両側部に回動自在に支持されている。カートリッジホルダ６０は、図４に示すように、上方側に回動されてメカシャーシ３０から離間された状態において、上記ディスクカートリッジ２が挿入されて該ディスクカートリッジ２を保持した後、図５に示すように、下方側に回動されてメカシャーシ３０上に載置されると、保持しているディスクカートリッジ２を、メカシャーシ３０の所定の装着位置に装着させる。
【００４４】
上記カートリッジホルダ６０の右側壁部６３には、リリーススライダ７０が前後方向に摺動自在に支持されている。該リリーススライダ７０は、上記右側壁部６３の外側面に沿う摺動支持部７１と右側壁部６３からカートリッジホルダ６０の内方に突出している当接部７２とが金属板材料により一体に形成されて成る。摺動支持部７１は、前後方向に長い板状をなし、前後方向に長く、且つ、前後に離間して形成された長孔７１ａ、７１ａに上記右側壁部６３の外側面に突設された支持ピン６３ａ、６３ａが挿通され、これによって、該側壁部６３に対して前後方向に移動自在に支持される。そして、摺動支持部７１の前後方向におけるほぼ中央部に外方へ突出されたバネ掛け片７１ｂと上記右側壁部６３の前端寄りの位置の外側面に突設されたバネ掛け片６３ｂとの間に引張コイルバネ７３が張設され、これによって、リリーススライダ７０には前方へ向けての移動力が付勢されている（図４、図５参照）。
【００４５】
上記引張コイルバネ７３は、コイル部７３ａと、該コイル部７３ａの後端に形成されたフック部７３ｂと、コイル部７３ａの前端から前方へ延びる直線状をしたストレート部７３ｃと、該ストレート部７３ｃの前端に形成されたフック部７３ｄとが一体に形成されて成り、後端のフック部７３ｂがリリーススライダ７０のバネ掛け片７１ｂに係止され、前端のフック部７３ｄがカートリッジホルダ６０のバネ掛け片６３ｂに係止される。
【００４６】
なお、引張コイルバネ７３を、上記したように、コイル部７３ａとストレート部７３ｃとによって構成することによって、他の部材と干渉する惧のある個所をストレート部７３ｃとすることによって、該他の部材、この記録再生装置１においては、シャッタ閉蓋バネ６７との干渉を避けることが出来る。従って、引張コイルバネ７３をカートリッジホルダ６０の右側壁部６３に近づけて配置することができ、その分記録再生装置１を小型にすることができる。
【００４７】
また、摺動支持部７１の後端部上縁には外方へ突出した係合片７１ｃが形成されている。
【００４８】
当接部７２は、摺動支持部７１の後端部上縁からカートリッジホルダ６０の内方へ向かって屈曲されそこからさらに後方へ延びており、後端にさらに内方へ突出した当接片７２ａが形成されている。
【００４９】
カートリッジホルダ６０の右側壁部６３の後端部外側面側には、ロック部材８０が配設されている。該ロック部材８０は主部８１とバネ部８２とがバネ弾性を有する金属板材料によって一体に形成されている。主部８１は右側から見てほぼく字状をしており、上端部に係合部８１ａが形成され、下端部に被係止片８１ｂが外方へ向けて突設されている。バネ部８２は主部８１の後端の上端寄りの部分から平面を上下に向けた向きで後方へ延び、その後端部に取付部８２ａが形成され、該取付部８２ａがカートリッジホルダ６０の右側壁部６３の後端部外側面に固定される。そして、主部８１の係合部８１ａは、上記リリーススライダ７０の係合片７１ｃの移動経路を横切るように位置することになる。
【００５０】
しかして、上記したように、ディスクカートリッジ２をカートリッジホルダ６０に挿入していくと、カートリッジ４の先端面の右側部がリリーススライダ７０の当接片７２ａに当接し、これを後方へ向けて押圧するので、リリーススライダ７０は引張コイルバネ７３による引張力に抗して後方へ向けて移動される。リリーススライダ７０が後方へ移動されることによって、その係合片７１ｃがロック部材８０の係合部８１ａの前縁を押圧し（図１４、図１５参照）、これによって、ロック部材８０の主部８１はバネ部８２が撓むことによって下方へ移動し（図１５参照）、上記係合片７１ｃが係合部８１ａの後方へ移動する。係合片７１ｃが係合部８１ａの後側へ通過すると、撓んでいたバネ部８２が元の状態に復帰し、係合部８１ａが係合片７１ｃの前側に位置して係合片７１ｃと係合し、リリーススライダ７０の前方への戻りを阻止する（図１６参照）。
【００５１】
そして、ディスクカートリッジ２のイジェクトに際しては、ロック部材８０がカートリッジホルダ６０に対して相対的に下方へ移動し、その係合部８１ａがリリーススライダ７０の係合片７１ｃの移動経路から下方へ外れる（図２０参照）ので、リリーススライダ７０は引張コイルバネ７３の引張力によって前方へ移動し（図２１参照）、その当接片７２ａがディスクカートリッジ２の前端面の右側部を前方へ押圧し、これによって、ディスクカートリッジ２はその後端部がカートリッジホルダ６０の前端から突出せしめられる。
【００５２】
ロック解除部材９０がメカシャーシ３０の右側部の後端寄りの位置に回動自在に支持されている。該ロック解除部材９０は主部９１と該主部９１の前端部下端から前方へ向けて延びるバネ部９２とがバネ弾性を有する金属板材料によって一体に形成されて成る。主部９１は右側から見てほぼ三角形状の板状をなし、その後縁部が左方へ折り曲げられて成る後側傾斜縁９１ａと該後側傾斜縁９１ａの下端に連続し左右に延びる係合縁９１ｂとを有している。そして、該主部９１は、平面が左右方向を向く向きでその上端部が、メカシャーシ３０の右側部の後端寄りの位置に平面が左右方向を向く向きで立設された支持片３２に回動自在に支持されている。
【００５３】
バネ部９２は、その平面が上下方向を向く向きで上記主部９１の前端部下部から前方へ向けて延びており、その先端部がメカシャーシ３０の右側部のほぼ中間の位置に突設された当接片３３の下面に弾接されている。
【００５４】
なお、ロック解除部材９０及びそれを支持する部材３２を上記したように構成すると、左右方向の設置スペースを小さくすることができる。そこで、左右方向の設置スペースが小さくなると、リリーススライダ７０に移動力を付勢する引張コイルバネ７３の設置スペースも小さくなるので、該引張コイルバネ７３のコイル部７３ａのコイル外径を小さくする必要があるが、それによる力量の低下は、コイル部７３ａにおけるコイルの巻数を増やして補うようにすると良い。
【００５５】
しかして、上記カートリッジホルダ６０がその中にディスクカートリッジ２を挿入された状態で下方に回動されてくると、上記ロック部材８０の被係止片８１ｂがロック解除部材９０の後側傾斜縁９１ａを押圧しながら下方へ滑っていき（図１７、図１８参照）、これによって、ロック解除部材９０の主部９１は、バネ部９２を上側に凸となるように湾曲させながら図１７及び図１８中の矢印Ｂ方向に回動される。そして、カートリッジホルダ６０がディスクカートリッジ２を所定の装着位置に装着させたところで、ロック部材８０の被係止片８１ｂがロック解除部材９０の後側傾斜縁９１ａの下端より下側に達し、これにより、ロック解除部材９０の主部９１は、上側に凸となるように撓められてバネ部９２に蓄えられていた弾発力により、上記矢印Ｂ方向と反対の方向に回動し、その係合縁９１ｂがロック部材８０の被係止片８１ｂの上側に来て該被係止片８１ｂと係合して、ロック部材８０の上方への回動を阻止する（図１９参照）。
【００５６】
しかしながら、ロック部材８０の被係止片８１ｂとロック解除部材９０の係合縁９１ｂとの係合は、ロック部材８０に少し強い力で上方への移動力を加えれば、ロック部材８０のバネ部８２が撓むことによって、主部８１がカートリッジホルダ６０に対して相対的に下方へ移動しながら図２０及び図２１中の矢印Ｃ方向に回動してその被係止片８１ｂがロック解除部材９０の係合縁９１ｂとの係合から離脱する。従って、イジェクトに際して、カートリッジホルダ６０をその前端部が上方へ移動するように回動させると、ロック部材８０の主部８１が上記矢印Ｃ方向に回動してその係合部８１ａがリリーススライダ７０の係合片７１ｃの前側から下方へ移動し、リリーススライダ７０へのロックが解除され（図２０参照）、該リリーススライダ７０が引張コイルバネ７３の引張力によって前方へ移動し（図２１参照）、ディスクカートリッジ２の前端部がカートリッジホルダ６０の前端から突出せしめられる。また、これに続いて、ロック部材８０の被係止片８１ｂがロック解除部材９０の係合縁９１ｂとの係合から開放されるので、ロック部材８０の主部８１はバネ部８２が撓むことによって蓄えられていた弾発力によって元の位置に復帰し、その係合部８１ａが再びリリーススライダ７０の係合片７１ｃの移動経路上に位置することになる（図２２参照）。
【００５７】
カートリッジホルダ６０の左側壁部６２の前端部には外方へ突出した連結片６２ａが設けられており、該連結片６２ａは、上記支持アーム２１の前端部に形成された連結孔２１ａ内に位置している。上記連結片６２ａは連結孔２１ａ内で上下方向に余裕を有して位置している。
【００５８】
上記上カバー１３の前端部下面には板バネ材料から成る押圧バネ１３ｂが固定されている（図２４及び図２６参照）。該押圧バネ１３ｂはその中央部が上カバー１３に固定され、中央部から左右に延びた部分は下方へ向けて傾斜されている。そして、上カバー１３が下方へ回動されて閉じられると、これと共に回動するカートリッジホルダ６０も下方へ回動されて装着位置に移動し、上カバー１３が後述するロック機構によって閉蓋位置にロックされると、上記押圧バネ１３ｂの左右両側部がカートリッジホルダ６０の天板部６１の上面に弾接し、これによって、カートリッジホルダ６０はメカシャーシ３０上の装着位置に押し付けられた状態となる（図２４参照）。このときカートリッジホルダ６０の上記連結片６２ａは支持アーム２１の連結孔２１ａの上方部に位置している。
【００５９】
そして、上カバー１３に対する閉蓋位置へのロックが解除されると、上記押さえバネ１３ｂの弾発力により上カバー１３は上方へ回動する（図２６参照）。そこで、上カバー１３の前端部を持ってこれを上方へ移動させれば、上カバー１３はさらに上方へ回動し、このとき、上カバー１３と共に回動する支持アーム２１の連結孔２１ａの下側開口縁がカートリッジホルダ６０の連結片６２ａを上方へ向けて押圧し、これによって、カートリッジホルダ６０が上方へ回動される。
【００６０】
この記録再生装置１には、光磁気ディスク３への記録の際に外部磁界を発生させるための磁気ヘッドを備えた磁気ヘッド装置１００が備えられている。
【００６１】
磁気ヘッド装置１００は、磁気ヘッド１０１の他、連結アーム１１０、磁気ヘッド支持板１２０、磁気ヘッド支持アーム１３０等を備える。
【００６２】
上記連結アーム１１０は、左方から見てほぼＬ字型に屈曲されて形成され、下側片１１１がネジ止め等により上記光学ピックアップ５０のキャリッジ５１の下面に取り付けられ、立上片１１２が光学ピックアップ５０の後方側において上方へ向けて立ち上げられている。該連結アーム１１０の立上片１１２は、上記メカシャーシ３０の後端よりも後方に位置しており、メカシャーシ３０に当接することなく、光学ピックアップ５０と共に移動される（図１０乃至図１２参照）。
【００６３】
該連結アーム１１０の立上片１１２の上端部は、メカシャーシ３０の上面よりも上方に位置している。連結アーム１１０の立上片１１２の上端部の近傍には、支軸１１３を介して磁気ヘッド支持板１２０の後端部が回動可能に取り付けられている（図２、図３、図１０乃至図１２参照）。該磁気ヘッド支持板１２０は、その前端部が上下方向、すなわち、メカシャーシ３０に対して離接方向に回動可能とされている。該磁気ヘッド支持板１２０には、その後端部の側縁から位置決め突片１２１が側方に向けて突設されている（図２、図３参照）。一方、上記連結アーム１１０の立上片１１２の上端部からは、前方に向けて位置決めアーム１１２ａが突設されている（図２、図３参照）。そして、上記位置決め突片１２１は、位置決めアーム１１２ａの上方側に位置しており、位置決めアーム１１２ａの先端部近傍に当接したときに下方側への移動を規制され、これによって、磁気ヘッド支持板１２０の下方への移動範囲が規定される。
【００６４】
そして、上記磁気ヘッド支持板１２０には、磁気ヘッド支持アーム１３０の基端部が取り付けられている（図２、図３、図１０乃至図１２参照）。この磁気ヘッド支持アーム１３０は、上方から見て前後方向に長く右方に開口を向けた凹字状をしている。
【００６５】
また、上記磁気ヘッド支持板１２０には、ジンバルバネ１４０の基端部が取り付けられている（図２、図３、図１０乃至図１２参照）。そして、該ジンバルバネ１４０の前端寄りの部分は、上記磁気ヘッド支持アーム１３０の側方へ屈曲されている先端部１３１上に載置されている。
【００６６】
そして、上記ジンバルバネ１４０の前端部に磁気ヘッド１０１が取着される（図２、図３、図１０乃至図１２参照）。
【００６７】
このようにして支持された磁気ヘッド１０１は、上記光学ピックアップ５０の対物レンズ５２の上方側に位置し、対物レンズ５２に対向されている。また、磁気ヘッド１０１は、上記磁気ヘッド支持板１２０が上記連結アーム１１０に対して回動されることにより、上記メカシャーシ３０に離接する上下方向に移動可能であると共に、上記位置決め突片１２１と位置決めアーム１１２ａとの当接によって下方方向に関しての位置決めがなされる。
【００６８】
また、上記支軸１１３の一端側には、捩じりコイルバネ１１４が外嵌状に支持されている（図２、図３、図１０乃至図１２参照）。該捩じりコイルバネ１１４は、コイル部１１４ａが上記位置決めアーム１１２ａの基端部と磁気ヘッド支持板１２０の基端部との間に介在されると共に各アーム部１１４ｂ、１１４ｃが位置決めアーム１１２ａ及び磁気ヘッド支持板１２０に各別に係止されており、磁気ヘッド支持板１２０の側方方向に関しての位置決めを行うと共に、該磁気ヘッド支持板１２０に上記連結アーム１１０に対して、磁気ヘッド１０１が下方に向かう方向への回動力を付勢している。
【００６９】
なお、上記磁気ヘッド１０１に対する給電は、該磁気ヘッド１０１及び磁気ヘッド支持アーム１３０の基端側及びジンバルバネ１４０に貼付されたフレキシブル基板１０２を介して行われる（図２、図３参照）。
【００７０】
なお、上記カートリッジホルダ６０の天板部６１には、上記磁気ヘッド支持アーム１３０及びジンバルバネ１４０の上記光学ピックアップ５０の移動に伴う移動可能領域に対応して、開口部６１ａが形成されている。すなわち、上記磁気ヘッド１０１は、上記開口部６１ａを通して、カートリッジホルダ６０内に保持されているディスクカートリッジ２の上面側の主面部に臨んでいる。
【００７１】
上記磁気ヘッド１０１を昇降操作する機構が設けられる。
【００７２】
上記カートリッジホルダ６０の上面部に配設された磁気ヘッド昇降板１５０及び伝達スライダ１６０と、上記メカシャーシ３０の下面部に配設され上記伝達スライダ１６０をスライド操作するための磁気ヘッド昇降スライダ１７０によって、磁気ヘッド１０１の昇降操作が行われる。
【００７３】
磁気ヘッド昇降板１５０は、図２、図３、図１０乃至図１２に示すように、カートリッジホルダ６０の天板部６１に形成された上記開口部６１ａの後方部分を閉蓋するようにして、上記磁気ヘッド支持アーム１３０及びジンバルバネ１４０の下側に位置している。該磁気ヘッド昇降板１５０は、その後端部を支軸１５１、１５１を介して、カートリッジホルダ６０の天板部６１に対して回動可能に支持され、前端部が上下方向に移動可能とされている。該磁気ヘッド昇降板１５０が上方に回動された時には、図１０に示すように、上記磁気ヘッド支持アーム１３０をジンバルバネ１４０の側に押し上げて、磁気ヘッド支持板１１０、ジンバルバネ１４０及び磁気ヘッド支持アーム１３０を上記支軸１１３周りに回動させて上方側に押し上げる。こして、この磁気ヘッド昇降板１５０は、下方に回動された時には、前端側部分の一部が上記カートリッジホルダ６０の天板部６１に当接されて該天板部６１にほぼ面一状態とされて位置決めされる。このとき、上記磁気ヘッド支持アーム１３０は、磁気ヘッド支持板１２０の上記位置決め突片１２１が上記位置決めアーム１１２ａに当接する位置まで下方側に回動される。これによって、上記ジンバルバネ１４０は、その前端部がカートリッジホルダ６０の天板部６１より下方の位置まで下降し、該前端部に支持されている磁気ヘッド１０１は、カートリッジホルダ６０の天板部６１より下方に位置することになる。
【００７４】
また、磁気ヘッド昇降板１５０の左側縁には、左方へ突出した当接片１５２が設けられ、該当接片１５２の後端部は後ろ上りに傾斜した傾斜部１５２ａとされている。さらに、磁気ヘッド昇降板１５０の右側縁の前端寄りの部分には、バネ当て片１５３が右方へ向けて突設されており、該バネ当て片１５３に前端部がカートリッジホルダ６０の天板部６１に固定された板バネ１５４の後端部が上方から弾接され、これによって、磁気ヘッド昇降板１５０には、その前端が下方へ移動する方向の回動力が付勢されている。
【００７５】
伝達スライダ１６０は、上記カートリッジホルダ６０の天板部６１の上面の内上記開口部６１ａが形成された部分と反対側の側部、即ち、左側部に、前後方向にスライド可能に取り付けられている（図２、図３、図１０乃至図１２参照）。該伝達スライダ１６０は、その右側縁部、すなわち、上記カートリッジホルダ６０のほぼ中央部に位置し上記磁気ヘッド昇降板１５０の左側縁部の当接片１５２に臨む部分に、押し上げ突片１６１を有している。該押し上げ突片１６１の上縁の前端部は、前下がりに傾斜された傾斜縁１６１ａとなっている。
【００７６】
上記伝達スライダ１６０が後方側より前方側にスライドされると、上記傾斜縁１６１ａを上記磁気ヘッド昇降板１５０の傾斜部１５２ａに摺接させつつ、上記押し上げ突片１６１を磁気ヘッド昇降板１５０の当接片１５２とカートリッジホルダ６０の天板部６１との間に進入させる。すると、磁気ヘッド昇降板１５０は、上記板バネ１５４によって付勢されている回動力に抗して、上方側に回動される（図１０、図１１参照）。
【００７７】
また、伝達スライダ１６０が前方側より後方側にスライドされると、上記傾斜縁１６１ａを磁気ヘッド昇降板１５０の傾斜部１５２ａに摺接させつつ、押し上げ突片１６１を磁気ヘッド昇降板１５０の当接片１５２とカートリッジホルダ６０の天板部６１との間より後方側に退出させる。すると、磁気ヘッド昇降板１５０は、上記板バネ１５４によって付勢されている回動力により、下方側に回動されて初期位置に復帰する（図１２参照）。
【００７８】
さらに、伝達スライダ１６０は、図２、図３、図６、図７、図１０乃至図１２に示すように、左側縁の後端部よりメカシャーシ３０側に垂設された連係アーム部１６２を有している。該連係アーム部１６２の下端部１６２ａは、下方に行くに従って後方へ変位するように傾斜されて、上記カートリッジホルダ６０の回動支点を中心とする円弧にほぼ沿うようにされている。そして、連係アーム部１６２の下端部１６２ａはメカシャーシ３０の左側部の後端部に設けられた透孔８４を通して、メカシャーシ３０のの下方側に突出されている。
【００７９】
上記磁気ヘッド昇降スライダ１７０は、図２、図３、図８及び図９に示すように、上記メカシャーシ３０の下面側の左側に、前後方向にスライド可能に取り付けられている。該磁気ヘッド昇降スライダ１７０は板金材料により形成されており、その後端部には前後方向に延びるラックギヤ部１７１が形成されており、該ラックギヤ部１７１は、メカシャーシ３０の下面部の左後方部分に取り付けられステッピングモータ１７２によってギヤ列１７３を介して回転されるピニオンギヤ１７４と噛合されている。これにより、磁気ヘッド昇降スライダ１７０は、記録再生装置１の動作モードに応じて、前後方向に移動操作される。
【００８０】
上記磁気ヘッド昇降スライダ１７０の後端部には、メカシャーシ３０に形成された上記透孔３４に対応する位置に、係合孔１７５が設けられている。該係合孔１７５には、上記透孔３４を通して、上記伝達スライダ１６０の連係アーム部１６２の下端部１６２ａが挿通係合される。すなわち、磁気ヘッド昇降スライダ１７０が前後方向にスライドされると、伝達スライダ１６０がカートリッジホルダ６０に対して前後方向にスライドされる。これによって、上記磁気ヘッド昇降板１５０が回動されるので、磁気ヘッド１０１が上下方向に昇降操作される。なお、連係アーム部１６２の下端部１６２ａは、上記したように、カートリッジホルダ６０の回動支点を中心とする円弧にほぼ沿うようにされているので、カートリッジホルダ６０が回動されても、常に、上記係合孔１１４に挿通係合されている。
【００８１】
しかして、磁気ヘッド昇降スライダ１７０が上記ステッピングモータ１７２の駆動によって前後方向にスライドすると、その係合孔１７５と連係アーム部１６２との係合を介して伝達スライダ１６０が前後方向にスライドし、これによって、磁気ヘッド昇降板１５０が上下方向に回動される。
【００８２】
上記上カバー１３の前面壁１３ｃ内面のほぼ中央部には、図２４乃至図２６に示すように、被係止部材１８０が突設されている。該被係止部材１８０は、その上面が被係止面１８１とされ、上記メインフレーム２０の前面部２２に左右方向にスライド可能に取り付けられたロックスライダ１９０により係止され、これによって、上カバー１３が閉蓋状態に保持されるようになっている。
【００８３】
ロックスライダ１９０は、図２３に示すように、長手方向に離間して２つの支持スリット１９１、１９２を有し、これら支持スリット１９１、１９２にメインフレーム２０の前面部２２に植設された支持ピン２２ａ、２２ａが挿通され、これによって、メインフレーム２０に対して左右方向にスライド可能に支持されている。該ロックスライダ１９０は、右端部に、上方に突出したロック片１９３を有しており、該ロック片１９３の上端部には、左方へ突出したロック爪１９４が設けられている。該ロック爪１９４はその下縁が係止縁１９４ａとされ、上縁は左下がりの傾斜縁１９４ｂとされている。該ロックスライダ１９０は、図２４に示すように、上カバー１３が閉蓋状態であるときに、上記係止縁１９４ａを上カバー１３の被係止部材１８０の被係止面１８１に係合させ、該上カバー１３の開蓋を阻止する。
【００８４】
なお、上記支持スリット１９１、１９２のうち右側のもの１９１は、右半部１９１ａが斜め上方へ向けて傾斜されている。従って、ロックスライダ１９０が移動範囲における左端にある状態での係止縁１９４ａの高さ（図２４参照）は、ロックスライダ１９０が移動範囲における右端にある状態での高さ（図２６参照）より低くされる。よって、ロックスライダ１９０が右から左に移動する過程において、係止縁１９４ａは高い位置から低い位置へと移動することになり、これによって、上カバー１３の被係止面１８１と確実に係合し、且つ、上カバー１３を閉蓋位置に確実にロックすることが出来る。
【００８５】
ロックスライダ１９０の左端に形成されたバネ掛け片１９５とメインフレーム２０の前面部２２の左端部に形成されたバネ掛け片２２ｂとの間に引張コイルバネ２００が張設され、これによって、ロックスライダ１９０には左方へ向けての移動力が付勢されている。
【００８６】
また、ロックスライダ１９０の左端部の下部には、後方へ向けて突出した被押圧片１９６が設けられており、該被押圧片１９６は上記メインフレーム２０の前面部２２の左端寄りの部分に形成された横長の透孔２２ｃを通して該前面部２２の後側に進入している。
【００８７】
そして、上記上カバー１３が閉蓋されるときには、その被係止部材１８０によりロックスライダ１９０の傾斜縁１９４ｂが押圧されて、ロックスライダ１９０は右方へ移動される（図２５参照）。上カバー１３の閉蓋が完了すると、ロックスライダ１９０はそのロック爪１９４が被係止部材１８０の被係止面１８１よりも上方側に位置するため、引張コイルバネ２００の引張力より、左方へ移動して初期位置に復帰し、その係止縁１９４ａが上カバー１３の被係止面１８１と係合し、これによって、上カバー１３を閉蓋状態にロックする（図２４参照）。
【００８８】
イジェクトスライダ２１０が、図２３に示すように、メインフレーム２０の前面部２２の前面のうち上記ロックスライダ１９０が配設された部分のすぐ下側に左右方向へスライド自在に支持されている。イジェクトスライダ２１０には、左右に離間して２つの横長の支持スリット２１１、２１１が形成され、メインフレーム２０の前面部２２に打ち出し状に突設された支持突起が該支持スリット２１１、２１１に挿通され、これによって、イジェクトスライダ２１０はメインフレーム２０に左右方向にスライド可能に支持される。
【００８９】
イジェクトスライダ２１０の右端部には右方へ突出されたバネ嵌合片２１２が設けられており、該バネ嵌合片２１２は、メインフレーム２０の前面部２２に形成された横長の透孔２２ｄ内に位置している。そして、該透孔２２ｄの右端部からは左方に向けて突出したバネ嵌合片２２ｅが設けられ、そして、圧縮コイルバネ２１３が圧縮された状態でその両端部が上記バネ嵌合片２１２、２２ｅに各別に嵌合され、これによって、イジェクトスライダ２１０には左方へ向けての移動力が付勢される。
【００９０】
該イジェクトスライダ２１０の右端部上縁からは被押圧片２１４が上方へ向けて突設されており、また、左端部にはやや上方へ突出し且つ後方へ突出した押圧片２１５が形成されており、該押圧片２１５はメインフレーム２０の前面部２２に形成された上記透孔２２ｃを通して該前面部２２の後方へ進入している。そして、該押圧片２１５と上記ロックスライダ１９０の被押圧片１９６とは間に間隔をあけて左右から対向した状態とされている。
【００９１】
上記磁気ヘッド昇降スライダ１７０の前端部には、図２７に示すように、イジェクト伝達部材２２０が取り付けられている。イジェクト伝達部材２２０は線バネ材料を屈曲して形成されており、上方から見てほぼＬ字状をしている。Ｌ字の屈曲部にはコイル部２２１が形成され、一端部には不完全な円形に形成された取付部２２２が形成され、他端部はＵ字状に折り返されて伝達部２２３とされている。
【００９２】
板金材料で形成されている磁気ヘッド昇降スライダ１７０の前端部には、支持部１７６、押え部１７７及び規制部１７８が形成されている。
【００９３】
上記支持部１７６は、下面側に打ち出し状の筒状部として形成され、該筒状部の端部が外方へ加締められて径大部とされて成る。そして、イジェクト伝達部材２２０の取付部２２２を、一端外方へ撓めてその径を広げた状態で、上記支持部１７６に外嵌し、その状態のまま外方へ撓めていた力を除いて、該取付部２２２を支持部１７６に取り付ける。
【００９４】
上記押さえ部１７７は、磁気ヘッド昇降スライダ１７０の一部を下方へ打ち出し、且つ、該打ち出した部分の端部を後方へ折り曲げて、前後方向を向いた当接部１７７ａと上下方向を向いた抜け止め部１７７ｂとを形成して成る。
【００９５】
規制部１７８は、前後に離間し左右方向に延びる互いに平行な２条のスリットの間の部分を下方に打ち出して前後方向に延びるトンネル状に形成して成るものである。
【００９６】
そして、上記したようにその取付部２２２を支持部１７６に支持されたイジェクト伝達部材２２０は、コイル部２２１から取付部２２２側の腕部２２４が押さえ部１７７の当接部１７７ａに後方から当接し、コイル部２２１から伝達部２２３側の腕部２２５が規制部１７８に挿通され該規制部１７８の左側面に当接した状態とされ、その伝達部２２３の後端部を除いた部分が磁気ヘッド昇降スライダ１７０の前端から前方へ突出され、且つ、磁気ヘッド昇降スライダ１７０がその移動範囲の前端に位置している状態で、伝達部２２３が上記ロックスライダ１９０の被押圧片１９６とイジェクトスライダ２１０の押圧片２１５との間を挿通されてメインフレーム２０より前側に突出した状態とされる（図２、図８、図２７参照）。
【００９７】
なお、イジェクト伝達部材２２０は、上記したように磁気ヘッド昇降スライダ１７０に取り付けられて状態でＬ字状を為すようにされ、磁気ヘッド昇降スライダ１７０に取り付けられる前は、図３１に示すように、屈曲部の角度が９０度より大きい状態とされている。
【００９８】
上記下ケース１１の前面壁１１ａの前面にはイジェクト摘子２３０が左右方向にスライド可能に支持されている（図２、図３参照）。該イジェクト摘子２３０の後面には連結部２３１が突設されており、該連結部２３１にイジェクトスライダ２１０の被押圧片２１４が係合されている。
【００９９】
しかして、停止モードにおいて、イジェクト摘子２３０を右方にスライドさせると、イジェクトスライダ２１０が圧縮コイルバネ２１３の弾発力に抗して右方へスライドし、これに伴って右方へ移動する押圧片２１５がイジェクト伝達部材２２０の伝達部２２３を右方へ押圧する。伝達部２２３がイジェクトスライダ２１０の押圧片２１５によって右方へ押圧されたイジェクト伝達部材２２０は、その腕部２２５がコイル部２２１から右方へ撓み、これによって右方へ移動する伝達部２２３がロックスライダ１９０の被押圧片１９６を右方へ押圧する。これによって、ロックスライダ１９０は右方へ移動し、その係止縁１９４ａが上カバー１３の被係止部材１８０の被係止面１８１から右方へ逃げて、これによって、ロックスライダ１９０のロック爪１９４と上カバー１３の被係止部材１８０との係止が解除される（図２６、図２８参照）。
【０１００】
ロックスライダ１９０のロック爪１９４と上カバー１３の被係止部材１８０との係止が解除されると、押さえバネ１３ｂの弾発力により上カバー１３が上方へ回動する。そこで、上カバー１３の前端部を持ってこれを上方へ移動させると、上カバー１３はさらに上方へ回動し、このとき、上カバー１３と共に回動する支持アーム２１の連結孔２１ａの下側開口縁がカートリッジホルダ６０の連結片６２ａを上方へ向けて押圧し、これによって、カートリッジホルダ６０が上方へ回動される。そして、カートリッジホルダ６０が上方へ回動されることによって、ロック部材８０がカートリッジホルダ６０に対して相対的に下方へ移動し、その係合部８１ａがリリーススライダ７０の係合片７１ｃの移動経路から下方へ外れるので、リリーススライダ７０は引張コイルバネ７３の引張力によって前方へ移動し、その当接片７２ａがディスクカートリッジ２の前端面の右側部を前方へ押圧し、これによって、ディスクカートリッジ２はその後端部がカートリッジホルダ６０の前端から突出せしめられる。そこで、ディスクカートリッジ２のカートリッジホルダ６０の前端から突出された部分を把持して引っ張れば、ディスクカートリッジ２をカートリッジホルダ６０から取り出すことが出来る。
【０１０１】
なお、記録時及び再生時にイジェクトがなされると、書き込まれた情報が失われたりディスクカートリッジ２や磁気ヘッド１０１が損傷される惧があるので、記録時や再生時にイジェクト摘子２３０が誤ってスライド操作された場合には、イジェクトが為されないようにする必要がある。そのために、再生時及び記録時には、上記ステッピングモータ１７２が駆動されて、磁気ヘッド昇降スライダ１７０が後退し、イジェクト伝達部材２２０の伝達部２２３がロックスライダ１９０の被押圧片１９６とイジェクトスライダ２１０の押圧片２１５との間の位置から後方へ離脱する（図３、図９、図２９参照）。
【０１０２】
従って、イジェクト摘子２３０の右方へのスライド操作に伴ってイジェクトスライダ２１０が右方へスライドしても、その押圧片２１５はイジェクト伝達部材２２０の伝達部２２３が後退することによって空白領域となったロックスライダ１９０の被押圧片１９６との間の空間を右方へ移動するだけで、該被押圧片１９６を右方へ押圧することはない。従って、イジェクトスライダ２１０の押圧片２１５は右方へ移動してもいわゆる空振りをすることになり（図２９参照）、ロックスライダ１９０が上カバー１３のロックを解除する方向にスライドせしめられることはない。依って、上カバー１３が開くことはなく、イジェクトが為されることはない。
【０１０３】
なお、再生時と記録時とでは、磁気ヘッド昇降スライダ１７０の後退量が異なる。
【０１０４】
すなわち、再生時においては、磁気ヘッド昇降スライダ１７０の後退量が少なく、従って、伝達スライダ１６０の後方へのスライド量も少なく、磁気ヘッド昇降板１５０の当接片１５２は伝達スライダ１６０の押し上げ突片１６１の上縁に載置された状態のままである。依って、磁気ヘッド１０１はカートリッジホルダ６０に保持されているディスクカートリッジ２の上側主面部より上方へ離間して位置した状態となっている。
【０１０５】
また、記録時においては、図３、図９及び図１２に示すように、磁気ヘッド昇降スライダ１７０は再生時よりもさらに後方へスライドされ、従って、伝達スライダ１６０も再生時よりも後方へスライドされ、磁気ヘッド昇降板１５０の当接片１５２は伝達スライダ１６０の押し上げ突片１６１の上縁から離脱される。依って、磁気ヘッド１０１はカートリッジホルダ６０に保持されているディスクカートリッジ２の磁気ヘッド用開口部５からカートリッジ４内に進入し、光磁気ディスク３に接触又は近接される。
【０１０６】
そして、停止モードになると、上記ステッピングモータ１７２が上記再生時及び記録時における場合とは逆方向に駆動され、それによって、磁気ヘッド昇降スライダ１７０は前方へ向けてスライドされ、イジェクト伝達部材２２０の伝達部２２３がロックスライダ１９０の被押圧片１９５とイジェクトスライダ２１０の押圧片２１５との間に位置される。
【０１０７】
なお、例えば、停止操作とイジェクト操作との間の時間差が殆ど無く、イジェクト伝達部材２２０の伝達部２２３がロックスライダ１９０の被押圧片１９５とイジェクトスライダ２１０の押圧片２１５との間に位置する前に、イジェクト摘子２３０が右方へスライドされて、イジェクトスライダ２１０が右方へ移動してしまったような場合、イジェクト伝達部材２２０は線バネ材料で形成されているので、その伝達部２２３がイジェクトスライダ２１０の後面に当接して、その材料の持つバネ弾性によって、コイル部２２１の箇所で屈曲が深くなることによって、リミッタとしての機能を発揮し、磁気ヘッド昇降スライダ１７０、イジェクトスライダ２１０等の損傷を回避することができる（図３０参照）。また、かかる場合、イジェクト伝達部材２２０の腕部２２４は、図３０に示すように、磁気ヘッド昇降スライダ１７０の押え部１７７の当接部１７７ａから後方へ離間するが、その下側に抜け止め部１７７ｂが位置しているので、該腕部２２４の上記押え部１７７からの離脱が防止される。
【０１０８】
なお、イジェクト伝達部材としては、上記したもの２２０の他、図３２乃至図３４に示すようなもの２２０Ａ、２２０Ｂ及び２２０Ｃ等を使用することができる。
【０１０９】
これらイジェクト伝達部材２２０Ａ、２２０Ｂ及び２２０Ｃは、いずれも線バネ材料を折り曲げて形成され、ほぼＵ字状に形成することによって所定の幅を有するようにされた伝達部２２３Ａ、２２３Ｂ、２２３Ｃを有し、所定の箇所を磁気ヘッド昇降スライダに支持乃至は押えられることによって、上記イジェクト伝達部材２２０と同等の作用効果をもたらすものである。
【０１１０】
図３５及び図３６に示すように、下ケース１１の右端部と上ケース１２とによって後面に開口したバッテリー収納空間２４０が形成され、該バッテリー収納空間２４０内にバッテリーホルダー２４１が配置固定される。
【０１１１】
上記バッテリーホルダー２４１の上面にはスイッチユニット２５０が配設される。スイッチユニット２５０は、図示しないスイッチパターンが形成されたフレキシブルプリント基板２５１のスイッチパターンに対応した位置に短絡板２５２、２５２、・・・（図では１個のみ示す。）を配置し、フレキシブルプリント基板２５１のパターン形成面及び短絡板２５２、２５２、・・・を保護用のカバーフィルム２５３で覆って成るスイッチユニット基体と該スイッチユニット基体の裏面、即ち、フレキシブルプリント基板２５１のパターン形成面の反対側の面に積層された補強板２５４とから構成されている（図３５、図３６参照）。
【０１１２】
上記短絡板２５２は、導電性及びバネ弾性を有する金属板でほぼ扁平ドーム状に形成され、突出した部分を上方から押圧されることにより平らに変形してスイッチパターン間を短絡するものである。また、上記補強板２５４は剛性の高い材料、例えば、ＳＵＳ板から成り、短絡板２５２が上方から押圧されたときに、フレキシブルプリント基板２５１が下方へ変形してしまって短絡板２５２によるスイッチパターン間の短絡が不確実になってしまうことを防止している。従って、スイッチユニット２５０を配置する個所が、平らな載置面を有する個所に限定されてしまうことがない。
【０１１３】
尚、上記操作釦１５は、所定の平面形状をした被押圧部１５ａと該被押圧部１５ａの裏面のほぼ中央から突出した押圧突起１５ｂとが一体に形成されて成り、被押圧部１５ａが上ケース１２に形成され被押圧部１５ａに対応した形状を有する凹部１２ａ内に配置され、押圧突起１５ｂが該凹部１２ａに形成された挿通孔１２ｂを挿通されて、その先端が上記スイッチユニット２５０の短絡板２５２にカバーフィルム２５３を介して対向されている。しかして、操作釦１５の被押圧部１５ａが押圧されると、その押圧突起１５ｂがスイッチユニット２５０の短絡板２５２をカバーフィルム２５３を介して押圧し、スイッチパターン間が短絡せしめられる。そして、このスイッチユニット２５０には補強板２５４が設けられているので、操作釦１５の押圧に伴ってフレキシブルプリント基板２５１が該押圧力を殺ぐように変形してしまうことが無く、該押圧を補強板２５４が確実に受けるので、短絡板２５２が扁平ドーム状から平らな状態へ確実に変形して、スイッチパターン間の短絡が確実になされると共に、該変形時のクリック感が操作釦１５を介して操作者に伝わり、快適な操作感が得られる。
【０１１４】
また、補強板２５４が無いと、操作釦１５の押圧時に、フレキシブルプリント基板２５１が変形して、これが繰り返されることによりフレキシブルプリント基板２５１上の配線パターンが断線する惧があるが、補強板２５４があることによって、そのような断線が防止される。
【０１１５】
そして、操作釦１５の被押圧部１５ａに対する押圧が解除されると、短絡板２５２はその材料の持つ弾性により元の扁平ドーム状の形状に戻り、その戻り力により操作釦１５も元の位置に戻される。
【０１１６】
尚、図示していないが、操作釦１５が上ケース１２の凹部１２ａ及び挿通孔１２ｂから脱落しないように、適宜な脱落防止手段が設けられている。
【０１１７】
【発明の効果】
以上に記載したところから明らかなように、本発明ディスク状記録媒体装置は、シャーシと、該シャーシをカバーするカバー部材と、上記シャーシに設けられディスク状記録媒体にデータを記録する記録手段と、動作モードに応じて前後方向に移動可能なヘッド昇降スライダと、上記カバー部材を開蓋させる開蓋位置と上記カバー部材を閉蓋させる閉蓋位置との間をスライドするロックスライダと、所定の方向にスライドするイジェクトスライダと、上記ヘッド昇降スライダに設けられ弾性材料からなるイジェクト伝達部材とを備え、上記イジェクト伝達部材は、上記ヘッド昇降スライダが前方方向に移動する際、上記イジェクト伝達部材が上記ロックスライダと上記イジェクトスライダとの間に介在する場合には上記イジェクトスライダのスライド移動を上記ロックスライダに伝達し、上記イジェクト伝達部材の伝達部が上記イジェクトスライダの後面と当接する場合には上記イジェクト伝達部材の弾性に抗する方向に該イジェクト伝達部材が移動されることを特徴とする。
【０１１８】
従って、本発明ディスク状記録媒体装置にあっては、イジェクト伝達部材の他に構成部材を必要としない。そのため構成部品の点数が少なくて済み、そのため組立工数も少なくなる。依って、コストを低減することが出来る。
【０１１９】
また、請求項２に記載した発明にあっては、イジェクトスライダのスライド移動の方向がヘッド昇降スライダの移動方向に交差する方向であるので、伝達部の互いに交差する２つの方向への移動を単一の部材によって実現することが出来る。
現することが出来る。
【０１２０】
さらに、請求項３に記載した発明にあっては、イジェクト伝達部材を線バネ材料によって形成するようにしたので、所望の変位方向を容易に設計することが出来、且つ、材料費を低減することが出来る。
【０１２１】
尚、上記した実施の形態において示した各部の形状乃至構造は、何れも本発明を実施するに際して行う具体化のほんの一例を示したものにすぎず、これらによって本発明の技術的範囲が限定的に解釈されることがあってはならないものである。
【図面の簡単な説明】
【図１】  図２乃至図３６と共に本発明ディスク状記録媒体装置を記録再生装置におけるリミッタ機構に適用した実施の形態を示すものであり、本図は記録再生装置の外観を示す斜視図である。
【図２】  メカシャーシ及びカートリッジホルダの停止モード時における概略平面図である。
【図３】  メカシャーシ及びカートリッジホルダの記録モード時における概略平面図である。
【図４】  メカシャーシ及びカートリッジホルダのイジェクト状態を示す概略右側面図である。
【図５】  メカシャーシ及びカートリッジホルダの記録モード時における概略右側面図である。
【図６】  メカシャーシ及びカートリッジホルダのイジェクト状態を示す概略左側面図である。
【図７】  メカシャーシ及びカートリッジホルダの記録モード時における概略左側面図である。
【図８】  停止モード時における磁気ヘッド昇降スライダと光学ピックアップを示す概略平面図である。
【図９】  記録モード時における磁気ヘッド昇降スライダと光学ピックアップを示す概略平面図である。
【図１０】  イジェクト時における磁気ヘッド昇降機構を示す概略左側面図である。
【図１１】  停止モードにおける磁気ヘッド昇降機構を示す概略左側面図である。
【図１２】  記録モードにおける磁気ヘッド昇降機構を示す概略左側面図である。
【図１３】  ディスクカートリッジをカートリッジホルダから排出する部材をロックする機構及び該ロックを解除する機構を示す斜視図である。
【図１４】  図１５乃至図２２と共にディスクカートリッジがカートリッジホルダに保持されて装着位置に装着され、さらに、カートリッジホルダから排出されるまでの動作を示す要部の右側面図であり、本図はディスクカートリッジがカートリッジホルダに挿入され始めた状態を示すものである。
【図１５】  図１４の状態からディスクカートリッジがさらにカートリッジホルダに挿入された状態を示すものである。
【図１６】  完全に挿入され、ディスクカートリッジをカートリッジホルダから排出する部材であるリリーススライダがロックされた状態を示すものである。
【図１７】  カートリッジホルダがイジェクト位置から装着位置へと回動して行く途中の状態を示すものである。
【図１８】  図１７の状態から更に装着位置に近づいた状態を示すものである。
【図１９】  装着位置に達した状態を示すものである。
【図２０】  カートリッジホルダがイジェクト位置へ向けて移動を開始し、リリーススライダに対するロックが解除された瞬間を示すものである。
【図２１】  図２０の状態に続いてリリーススライダが前方に移動した状態を示すものである。
【図２２】  イジェクト位置に到達した状態を示すものである。
【図２３】  上カバーを閉蓋位置にロックする機構を示す要部の分解斜視図である。
【図２４】  上カバーを閉蓋位置にロックする機構を示す要部の正面図である。
【図２５】  上カバーが閉蓋位置へ移動する途中の状態を示す要部の正面図である。
【図２６】  上カバーに対する閉蓋位置へのロックが解除された状態を示す要部の正面図である。
【図２７】  図２８乃至図３０と共にイジェクト伝達部材と磁気ヘッド昇降スライダの要部を示す平面図であり、本図は停止モードにおける状態を示すものである。
【図２８】  イジェクト伝達部材がイジェクトスライダの動きをロックスライダに伝達している状態を示すものである。
【図２９】  記録モードにおける状態を示すものである。
【図３０】  イジェクト伝達部材がリミッタ機能を果たしている状態を示すものである。
【図３１】  磁気ヘッド昇降スライダに取り付けられる前のイジェクト伝達部材を示す平面図である。
【図３２】  イジェクト伝達部材の変形例を示す平面図である。
【図３３】  イジェクト伝達部材の別の変形例を示す平面図である。
【図３４】  イジェクト伝達部材のさらに別の変形例を示す平面図である。
【図３５】  上ケースの要部とスイッチユニットを示す分解斜視図である。
【図３６】  上ケースの要部とスイッチユニットを示す断面図である。
【図３７】  上記記録再生装置において使用される記録及び再生用ディスクカートリッジを上方から見た斜視図である。
【図３８】  上記記録再生装置において使用される記録及び再生用ディスクカートリッジを下方から見た斜視図である。
【図３９】  図４０及び図４１と共に従来のリミッタ機構を示す平面図であり、本図は初期状態を示す図である。
【図４０】  伝達部が作用した状態を示す図である。
【図４１】  リミッタ機能を果たした状態を示す図である。
【符号の説明】
１…記録再生装置（ディスク状記録媒体装置）、１３…上カバー（カバー）、３０…メカシャーシ（シャーシ）、１７０…磁気ヘッド昇降スライダ（ヘッド昇降スライダ）、１９０…ロックスライダ、２１０…イジェクトスライダ、２２０…イジェクト伝達部材、２２３…伝達部
【図１】
0003812085.tif 000002
【図２】
0003812085.tif 000003
【図３】
0003812085.tif 000004
【図４】
0003812085.tif 000005
【図５】
0003812085.tif 000006
【図６】
0003812085.tif 000007
【図７】
0003812085.tif 000008
【図８】
0003812085.tif 000009
【図９】
0003812085.tif 000010
【図１０】
0003812085.tif 000011
【図１１】
0003812085.tif 000012
【図１２】
0003812085.tif 000013
【図１３】
0003812085.tif 000014
【図１４】
0003812085.tif 000015
【図１５】
0003812085.tif 000016
【図１６】
0003812085.tif 000017
【図１７】
0003812085.tif 000018
【図１８】
0003812085.tif 000019
【図１９】
0003812085.tif 000020
【図２０】
0003812085.tif 000021
【図２１】
0003812085.tif 000022
【図２２】
0003812085.tif 000023
【図２３】
0003812085.tif 000024
【図２４】
0003812085.tif 000025
【図２５】
0003812085.tif 000026
【図２６】
0003812085.tif 000027
【図２７】
0003812085.tif 000028
【図２８】
0003812085.tif 000029
【図２９】
0003812085.tif 000030
【図３０】
0003812085.tif 000031
【図３１】
0003812085.tif 000032
【図３２】
0003812085.tif 000033
【図３３】
0003812085.tif 000034
【図３４】
0003812085.tif 000035
【図３５】
0003812085.tif 000036
【図３６】
0003812085.tif 000037
【図３７】
0003812085.tif 000038
【図３８】
0003812085.tif 000039
【図３９】
0003812085.tif 000040
【図４０】
0003812085.tif 000041
【図４１】
0003812085.tif 000042